(57)【要約】【課題】表示色毎の集光体の焦点距離の相違に起因した表示品位の低下を抑制する。【解決手段】電気光学装置１００は、平面状に配列された複数の画素５０を具備する。複数の画素５０は、緑色光を選択的に透過するカラーフィルター１１Gと、照射光を変調する液晶素子３０と、液晶素子３０に向かう照射光を集光するマイクロレンズ２６Gとを有する緑色の画素５０Gと、赤色光を選択的に透過するカラーフィルター１１Rと、照射光を変調する液晶素子３０と、液晶素子３０に向かう照射光を集光するマイクロレンズ２６Rとを有する赤色の画素５０Rとを含み、緑色光に対するマイクロレンズ２６Gの結像点と赤色光に対するマイクロレンズ２６Rの結像点とは、複数の画素５０の配列面に平行な平面（Ｐ0）内に位置する。【選択図】図４
2014153385.tif 000002
【特許請求の範囲】
【請求項１】
平面状に配列された複数の画素を具備し、
前記複数の画素は、
第１波長の照射光を選択的に透過する第１カラーフィルターと、照射光を変調する第１電気光学素子と、前記第１電気光学素子に向かう照射光を集光する第１集光体とを有する第１画素と、
前記第１波長とは異なる第２波長の照射光を選択的に透過する第２カラーフィルターと、照射光を変調する第２電気光学素子と、前記第２電気光学素子に向かう照射光を集光する第２集光体とを有する第２画素とを含み、
前記第１波長の照射光に対する前記第１集光体の結像点と前記第２波長の照射光に対する前記第２集光体の結像点とは、前記複数の画素の配列面に平行な平面内に位置する
電気光学装置。
【請求項２】
前記第１波長に対する前記第１集光体の焦点距離と前記第２波長に対する前記第２集光体の焦点距離とは同一である
請求項１の電気光学装置。
【請求項３】
前記複数の画素は、白色光を変調する第３電気光学素子と、前記第３電気光学素子に向かう照射光を集光する第３集光体とを有し，前記第３電気光学素子による変調後の白色光を出射する第３画素を含み、
前記第１カラーフィルターは緑色光を選択的に透過し、
前記第１集光体の焦点距離と前記第３集光体の焦点距離とは同一である
請求項１または請求項２の電気光学装置。
【請求項４】
前記第２カラーフィルターは、前記第１波長よりも長い第２波長の照射光を選択的に透過し、
前記第２集光体の曲率は前記第１集光体の曲率より大きい
請求項２または請求項３の電気光学装置。
【請求項５】
前記第２カラーフィルターは、前記第１波長よりも長い第２波長の照射光を選択的に透過し、
前記第２集光体の屈折率は前記第１集光体の屈折率より大きい
請求項２または請求項３の電気光学装置。
【請求項６】
請求項１から請求項５の何れかの電気光学装置を具備する電子機器。
【発明の詳細な説明】
【技術分野】
【０００１】
本発明は、複数の画素を利用して画像を表示する技術に関する。
【背景技術】
【０００２】
光源装置から放射された照射光をマイクロレンズにより画素毎に集光する技術が従来から提案されている。例えば特許文献１には、画素毎のマイクロレンズ（集光体）で集光された照射光を各表示色のカラーフィルターおよび液晶素子に透過させて画像を表示する液晶パネルが開示されている。
【先行技術文献】
【特許文献】
【０００３】
【特許文献１】特開２００２−１８９２１６号公報
【発明の概要】
【発明が解決しようとする課題】
【０００４】
ところで、マイクロレンズの焦点距離は入射光の波長に応じて相違する。したがって、各画素の表示色に関わらずマイクロレンズの集光特性が共通する特許文献１の構成では、各画素のカラーフィルターを透過した各色光に対する焦点距離（結像位置や光束角度）が表示色毎に相違し、結果的にカラー画像の表示品位が低下する（色収差）という問題がある。以上の事情を考慮して、本発明は、表示色毎の集光体の焦点距離の相違に起因した表示品位の低下を抑制することを目的とする。
【課題を解決するための手段】
【０００５】
以上の課題を解決するために、本発明の第１態様に係る電気光学装置は、平面状に配列された複数の画素を具備し、複数の画素は、第１波長の照射光を選択的に透過する第１カラーフィルターと、照射光を変調する第１電気光学素子と、第１電気光学素子に向かう照射光を集光する第１集光体とを有する第１画素と、第１波長とは異なる第２波長の照射光を選択的に透過する第２カラーフィルターと、照射光を変調する第２電気光学素子と、第２電気光学素子に向かう照射光を集光する第２集光体とを有する第２画素とを含み、第１波長の照射光に対する第１集光体の結像点と第２波長の照射光に対する第２集光体の結像点とは、複数の画素の配列面に平行な平面内に位置する。以上の構成では、第１波長の照射光に対する第１集光体の結像点と第２波長の照射光に対する第２集光体の結像点とが複数の画素の配列面に平行な平面内に位置するため、表示色毎の集光体の焦点距離の相違に起因した表示品位の低下が抑制される。
【０００６】
本発明の好適な態様において、第１波長に対する第１集光体の焦点距離と第２波長に対する第２集光体の焦点距離とは同一である。以上の構成では、第１波長での第１集光体の焦点距離と第２波長での第２集光体の焦点距離とは同一であるため、表示色毎の集光体の焦点距離の相違に起因した表示品位の低下が抑制される。なお、本発明において、第１集光体の焦点距離と第２集光体の焦点距離とが「同一である」とは、両者の焦点距離が実質的に同一であることを意味する。すなわち、各集光体における焦点距離の相違に起因した表示品位の低下が抑制される範囲であれば、例えば製造上の誤差により第１集光体の焦点距離と第２集光体の焦点距離とが完全には合致しない場合でも、本発明の「同一」の範囲には包含される。
【０００７】
本発明の好適な態様において、複数の画素は、白色光を変調する第３電気光学素子と、第３電気光学素子に向かう照射光を集光する第３集光体とを有し，第３電気光学素子による変調後の白色光を出射する第３画素を含み、第１カラーフィルターは緑色光を選択的に透過し、第１集光体の焦点距離と第３集光体の焦点距離とは同一である。以上の構成においては、白色光を出射する第３画素を備えるため、白色光を出射する画素を備えない構成と比較して、照射光の利用効率が向上する。また、緑色光に対する第３集光体の焦点距離が緑色光に対する第１集光体の焦点距離と同一であるため、例えば緑色光に対する第３集光体の焦点距離を第２波長の照射光に対する第２集光体の焦点距離と同一とした構成に比べ、各画素毎の集光体の焦点距離の相違に起因した表示品位の低下を抑制することができる。
【０００８】
本発明の好適な態様において、第２カラーフィルターは、第１波長よりも長い第２波長の照射光を選択的に透過し、第２集光体の曲率は第１集光体の曲率より大きい。以上の構成では、第２集光体の曲率は第１集光体の曲率より大きいため、第１画素の各集光体の焦点距離と第２画素の各集光体の焦点距離との相違が低減される。したがって、表示色毎の集光体の焦点距離の相違に起因した表示品位の低下が抑制される。
【０００９】
本発明の好適な態様において、第２カラーフィルターは、第１波長よりも長い第２波長の照射光を選択的に透過し、第２集光体の屈折率は第１集光体の屈折率より大きい。以上の構成では、第２集光体の屈折率は第１集光体の屈折率より大きいため、第１画素の各集光体の焦点距離と第２画素の各集光体の焦点距離との相違が低減される。したがって、表示色毎の集光体の焦点距離の相違に起因した表示品位の低下が抑制される。
【００１０】
以上の各態様に係る電気光学装置は、各種の電子機器に採用される。例えば、光源装置からの照射光を画素毎に変調することで画像を投射面に投射する投射型表示装置が、本発明に係る電子機器の好適例として想定される。
【００１１】
本発明の第２態様に係る電気光学装置は、平面状に配列された複数の画素を具備し、複数の画素は、第１波長の照射光を選択的に透過する第１カラーフィルターと、照射光を変調する第１電気光学素子と、第１電気光学素子に向かう照射光を集光する第１集光体とを有する第１画素と、第１波長よりも長い第２波長の照射光を選択的に透過する第２カラーフィルターと、照射光を変調する第２電気光学素子と、第２電気光学素子に向かう照射光を集光する第２集光体とを有する第２画素とを含み、第２集光体の曲率は前記第１集光体の曲率より大きい。以上の構成では、第２集光体の曲率は第１集光体の曲率より大きいため、第１画素の各集光体の焦点距離と第２画素の各集光体の焦点距離との相違が低減される。したがって、表示色毎の集光体の焦点距離の相違に起因した表示品位の低下が抑制される。
【００１２】
本発明の第３態様に係る電気光学装置は、平面状に配列された複数の画素を具備し、複数の画素は、第１波長の照射光を選択的に透過する第１カラーフィルターと、照射光を変調する第１電気光学素子と、第１電気光学素子に向かう照射光を集光する第１集光体とを有する第１画素と、第１波長よりも長い第２波長の照射光を選択的に透過する第２カラーフィルターと、照射光を変調する第２電気光学素子と、第２電気光学素子に向かう照射光を集光する第２集光体とを有する第２画素とを含み、第２集光体の屈折率は前記第１集光体の屈折率より大きい。以上の構成では、第２集光体の屈折率は第１集光体の屈折率より大きいため、第１画素の各集光体の焦点距離と第２画素の各集光体の焦点距離との相違が低減される。したがって、表示色毎の集光体の焦点距離の相違に起因した表示品位の低下が抑制される。
【図面の簡単な説明】
【００１３】
【図１】電気光学装置における複数の画素の配列を示す平面図である。
【図２】電気光学装置の断面図である。
【図３】対比例におけるマイクロレンズの構成を説明する図である。
【図４】第１実施形態におけるマイクロレンズの構成を説明する図である。
【図５】本発明の第２実施形態における複数の画素の配列を示す平面図である。
【図６】第２実施形態における電気光学装置の断面図である。
【図７】第３実施形態における電気光学装置の断面図である。
【図８】本発明の変形例におけるマイクロレンズの構成を説明する図である。
【図９】本発明に係る電子機器の一例である投射型表示装置の構成図である。
【発明を実施するための形態】
【００１４】
＜第１実施形態＞
図１に示すように、本発明の第１実施形態の電気光学装置１００は、相互に交差するＸ方向およびＹ方向に沿って平面状（行列状）に配列する複数の画素５０（５０R，５０G，５０B）を具備する。複数の画素５０には、赤色（Ｒ）を表示する画素５０Rと、緑色（Ｇ）を表示する画素５０Gと、青色（Ｂ）を表示する画素５０Bとが含まれる。各表示色の画素５０はベイヤー配列される。
【００１５】
図２は、本実施形態における電気光学装置１００の断面図である。電気光学装置１００は、所定の間隔をあけて相互に対向する第１基板１０および第２基板２０と、第１基板１０および第２基板２０の間の空間に封止された液晶９０とを含んで構成される。光源装置（図示略）から放射された照射光（白色光）が第２基板２０側から電気光学装置１００に入射する。
【００１６】
第１基板１０は、ガラスや石英等で形成された光透過性の板状部材である。第１基板１０のうち液晶９０側の面上には配線層１４が形成され、配線層１４の面上には複数の画素電極１６が形成される。配線層１４は、フィルター層１２、複数のＴＦＴ（Thin Film Transistor）１８および各種の配線（データ線および走査線）を含んで構成される。各ＴＦＴ１８は、各画素電極１６と電気的に接続されるスイッチング素子である。
【００１７】
フィルター層１２は複数のカラーフィルター１１（１１R，１１G，１１B）と遮光層１３とを含んで構成される。複数のカラーフィルター１１は、画素５０毎に形成され、相異なる複数の表示色（赤色，緑色，青色）の何れかに対応する。赤色の画素５０Rに対応するカラーフィルター１１Rは、照射光のうち赤色（Ｒ）に対応する波長（代表波長６２０ｎｍ）の赤色光を選択的に透過させる。同様に、緑色の画素５０Gに対応するカラーフィルター１１Gは緑色光（代表波長５３０ｎｍ）を選択的に透過させ、青色の画素５０Bに対応するカラーフィルター１１Bは青色光（代表波長４５０ｎｍ）を選択的に透過させる。例えば、顔料等の色材が分散された光透過性の樹脂材料でカラーフィルター１１は形成される。遮光層１３は各カラーフィルター１１の外縁を規定する遮光性（光を吸収または反射させる性質）の膜体である。
【００１８】
図２に示す各画素電極１６は、例えばＩＴＯ（Indium Tin Oxide）等の光透過性の導電材料で配線層１４の面上に画素５０毎に個別に形成され、各カラーフィルター１１と平面視で重なるように行列状に配列する。なお、実際には各画素電極１６を被覆する配向膜等の要素も形成されるが図２では便宜的に図示を省略した。
【００１９】
図２の第２基板２０は、ガラスや石英等で形成された光透過性の板状部材である。第２基板２０のうち液晶９０側の面上にはマイクロレンズアレイ２１が形成される。マイクロレンズアレイ２１は、各画素５０に対応する複数のマイクロレンズ２６（２６R，２６G，２６B）と、各マイクロレンズ２６の間を遮光する遮光層２２とを含んで構成される。各マイクロレンズ２６は、照射光を集光する集光体である。赤色の画素５０Rに対応するマイクロレンズ２６Rは平面視でカラーフィルター１１Rに重なる位置に形成される。同様に、マイクロレンズ２６Gはカラーフィルター１１Gに重なり、マイクロレンズ２６Bはカラーフィルター１１Bに重なる。本実施形態においては、マイクロレンズ２６R、マイクロレンズ２６Gおよびマイクロレンズ２６Bの各々の屈折率は共通する。遮光層２２は、遮光性の膜体である。
【００２０】
マイクロレンズアレイ２１の面上には、対向電極２４が形成される。対向電極２４は、例えばＩＴＯ等の光透過性の導電材料で第２基板２０の略全面にわたり連続に形成される。本実施形態においては、図２に示すように、相互に対向する画素電極１６および対向電極２４と両電極間の液晶９０とを含む液晶素子３０が画素５０毎に構成される。液晶素子３０における照射光の透過率（表示階調）は、画素電極１６と対向電極２４との間の印加電圧に応じて液晶９０の配向を制御することで変化する。すなわち、液晶素子３０は照射光を変調する要素（電気的な作用に応じて光学的な特性が変化する電気光学素子）として機能する。
【００２１】
以上の通り、複数の画素５０の各々は、カラーフィルター１１とマイクロレンズ２６と液晶素子３０とを含んで構成される。図２に示されるように、１個の画素５０においては、カラーフィルター１１および液晶素子３０はマイクロレンズ２６の光軸Ａ上に配置される。
【００２２】
図３には、各表示色に対応するマイクロレンズ２６（２６R，２６G，２６B）の形状を共通させた構成が対比例として開示されている。各マイクロレンズ２６の焦点距離は、入射光の波長に応じて相違する。したがって、各マイクロレンズ２６の形状が共通する対比例では、各画素５０による表示に利用される色光に対する各マイクロレンズ２６の焦点距離ｆ（ｆR，ｆG，ｆB）が各画素５０の表示色毎に相違する（ｆR≠ｆG≠ｆB）。具体的には、赤色光ＬRに対するマイクロレンズ２６の焦点距離ｆRは緑色光ＬGに対するマイクロレンズ２６の焦点距離ｆGより長く、緑色光ＬGに対するマイクロレンズ２６の焦点距離ｆGは青色光ＬBのマイクロレンズ２６に対する焦点距離ｆBより長い。対比例では、以上に説明した焦点距離の相違に起因した表示品位の低下（色収差）が問題となる。
【００２３】
以上の事情を考慮して、本発明の第１実施形態では、図４に示すように、各画素５０のマイクロレンズ２６の形状を表示色毎に相違させる。具体的には、表示色毎の焦点距離の相違が低減されるように、マイクロレンズ２６の曲率κを各画素５０の表示色毎に相違させる。マイクロレンズ２６の曲率κが大きいほどマイクロレンズ２６の焦点距離は短くなるという傾向を考慮して、第１実施形態においては、マイクロレンズ２６Rの曲率κRはマイクロレンズ２６Gの曲率κGより大きく、マイクロレンズ２６Gの曲率κGはマイクロレンズ２６Bの曲率κBより大きくなっている（κR＞κG＞κB）。具体的には、赤色光ＬRに対するマイクロレンズ２６Rの焦点距離ＦRと、緑色光ＬGに対するマイクロレンズ２６Gの焦点距離ＦGと、青色光ＬBに対するマイクロレンズ２６Bの焦点距離ＦBとが実質的に同一となるように、各マイクロレンズ２６の曲率κが表示色毎に選定される。したがって、各表示色に対応するマイクロレンズ２６（各画素５０）の結像点は、図４に示す平面Ｐ0内に位置する。平面Ｐ0は、複数の画素５０が配列する平面（Ｘ-Ｙ平面）に平行な平面であり、第１基板１０または第２基板２０に平行な平面とも換言され得る。
【００２４】
以上に説明した通り、第１実施形態では、各画素５０の表示色の色光に対するマイクロレンズ２６の焦点距離の相違が低減されるように各マイクロレンズ２６の形状（曲率κ）が画素５０の表示色毎に個別に選定される。したがって、表示色毎のマイクロレンズ２６の焦点距離の相違に起因した表示品位の低下が抑制される。第１実施形態では特に、各画素５０の色光に対するマイクロレンズ２６の焦点距離が同一となるように各マイクロレンズの曲率κが選定される。したがって、表示色毎のマイクロレンズ２６の焦点距離の相違に起因した表示品位の低下を抑制できるという効果は格別に顕著である。
【００２５】
＜第２実施形態＞
本発明の第２実施形態を以下に説明する。なお、以下に例示する各構成において作用や機能が第１実施形態と同等である要素については、以上の説明で参照した符号を流用して各々の詳細な説明を適宜に省略する。
【００２６】
図５に示すように、第２実施形態の電気光学装置１００では、相互に交差するＸ方向およびＹ方向に沿って平面状（行列状）に配列する複数の画素５０が、画素５０R、画素５０Gおよび画素５０Bに加えて白色の画素（以下「白色画素」という）５０Wを含む。具体的には、図５に示すように、ベイヤー配列の単位となる４個の画素５０（図１）のうち１個の緑色の画素５０Gが白色画素５０Wに置換される。以上の構成によれば、白色画素５０Wを配置しない構成と比較して表示画像の明度を向上させることが可能である。
【００２７】
図６は、第２実施形態における電気光学装置１００の断面図である。本実施形態においては、フィルター層１２のうち各白色画素５０Wに対応する領域に開口部１５が形成される。すなわち、白色画素５０Wにおいてはカラーフィルター１１が省略される。開口部１５は照射光（白色光）の全成分を透過させる。
【００２８】
図６に示すように、マイクロレンズアレイ２１のうち白色画素５０Wに対応する領域には、平坦部２５が形成される。すなわち、白色画素５０Wにはマイクロレンズ２６が形成されない。平坦部２５は、平面視で開口部１５と重なるように、各白色画素５０W毎に設けられる。平坦部２５は曲率を持たないため、照射光を集光する集光体として機能しない。
【００２９】
第２実施形態においても第１実施形態と同様の効果が得られる。なお、白色光は、赤色光、緑色光および青色光を含む。白色光を白色画素５０Wでマイクロレンズ２６により集光すると、白色光に含まれる各色光が相異なる位置で結像するため、白色画素５０Wで色収差の問題が生じる。本実施形態においては、白色画素５０Wの平坦部２５では白色光が集光されないため、色収差の問題が生じない。したがって、白色画素５０Wにおける色収差に起因した表示品位の低下を防止することができる。
【００３０】
＜第３実施形態＞
図７は、第３実施形態における電気光学装置１００の断面図である。第３実施形態においては、第２実施形態と同様に、複数の画素５０が、画素５０R、画素５０Gおよび画素５０Bに加えて白色画素５０Wを含み、フィルター層１２のうち各白色画素５０Wに対応する領域には開口部１５が形成される。
【００３１】
図７に示すように、本実施形態においては、マイクロレンズアレイ２１のうち白色画素５０Wに対応する領域にマイクロレンズ２６Wが形成される。マイクロレンズ２６Wは、平面視で開口部１５と重なるように各白色画素５０W毎に設けられて照射光（白色光）を集光する。マイクロレンズ２６Wの形状は、マイクロレンズ２６Wの曲率κWがマイクロレンズ２６Gの曲率κGと同一になる形状である。したがって、緑色光に対するマイクロレンズ２６Wの焦点距離は、緑色光に対するマイクロレンズ２６Gの焦点距離ＦGと同一となる。
【００３２】
第３実施形態においても第１実施形態と同様の効果が得られる。また、第３実施形態では、白色画素５０Wにもマイクロレンズ２６Wが配置されるから、マイクロレンズ２６Wを配置しない第２実施形態と比較して、照射光の利用効率を向上させることが可能である。
【００３３】
ところで、緑色光に対する人間の視感度は青色光や赤色光に対する視感度を上回る。本実施形態においては、緑色光に対するマイクロレンズ２６Wの焦点距離が、焦点距離ＦG、焦点距離ＦRおよび焦点距離ＦBと同一であるため、赤色光に対するマイクロレンズ２６Wの焦点距離を赤色のマイクロレンズ２６Rと一致させた構成や、青色光に対するマイクロレンズ２６Wの焦点距離を青色のマイクロレンズ２６Bと一致させた構成に比べ、各画素５０毎のマイクロレンズ２６の焦点距離の相違に起因した表示品位の低下を抑制することができる。
【００３４】
＜変形例＞
以上に例示した形態は多様に変形され得る。具体的な変形の態様を以下に例示する。以下の例示から任意に選択された２以上の態様は適宜に併合され得る。
【００３５】
（１）上述の形態においては、各マイクロレンズ２６の曲率κを表示色毎に異ならせたが、これに替えて、各マイクロレンズ２６の屈折率を表示色毎に異ならせてもよい。具体的には、マイクロレンズ２６Rの屈折率をマイクロレンズ２６Gの屈折率より大きくし、マイクロレンズ２６Gの屈折率をマイクロレンズ２６Bの屈折率より大きくする。マイクロレンズ２６の屈折率が大きいほどマイクロレンズ２６の焦点距離は短くなる傾向があるため、各表示色の色光に対するマイクロレンズ２６毎の焦点距離の相違を低減することができる。以上の構成においては、第１実施形態と同様の効果が得られる。また、各表示色のマイクロレンズ２６毎の焦点距離の相違が低減されるように、各画素５０の表示色毎にマイクロレンズ２６について曲率κおよび屈折率の両方を互いに異ならせてもよい。
【００３６】
（２）図８に示すように、各画素５０のマイクロレンズの形状を共通にして、各画素５０における各マイクロレンズ２６から平面Ｐ0までの距離を表示色毎に異ならせてもよい。図８に示す構成においては、各表示色のマイクロレンズ２６の形状が共通するため、焦点距離ｆR、焦点距離ｆGおよび焦点距離ｆBは互いに相違する。他方、各画素５０における各マイクロレンズ２６と平面Ｐ0との距離は、各表示色の色光に対する各マイクロレンズ２６の焦点距離に設定される。具体的には、マイクロレンズ２６Rから平面Ｐ0までの距離は焦点距離ｆRであり、マイクロレンズ２６Gから平面Ｐ0までの距離は焦点距離ｆGであり、マイクロレンズ２６Bから平面Ｐ0までの距離は焦点距離ｆBである。したがって、各表示色に対応するマイクロレンズ２６（各画素５０）の結像点は、図８の平面Ｐ0内に位置する。以上の構成によれば、第１実施形態と同様に、例えば図３に示した対比例のように各画素５０における各マイクロレンズ２６から平面Ｐ0までの距離が各画素５０で同一の構成と比較して、表示色毎のマイクロレンズ２６の焦点距離の相違に起因した表示品位の低下を抑制することができる。
【００３７】
（３）上述の各形態においては、フィルター層１２を配線層１４に形成したが、フィルター層１２の位置は適宜に変更される。例えば、マイクロレンズアレイ２１からみて液晶９０とは反対側にフィルター層１２を形成した構成や、マイクロレンズアレイ２１と液晶素子３０との間にフィルター層１２を形成した構成が採用され得る。
【００３８】
（４）マイクロレンズ２６を複数のレンズで構成することも可能である。すなわち、前述の各形態のマイクロレンズ２６は、照射光を集光する要素（集光体）として包括的に表現され、集光を実現する構造の如何は不問である。
【００３９】
（５）カラーフィルター１１の構成は、適宜に変更され得る。例えば、屈折率が相違する複数の光透過層（誘電体層）を積層することで特定の波長の色光を選択的に強調する誘電体多層膜を、前述の各形態におけるカラーフィルター１１として利用することも可能である。
【００４０】
＜応用例＞
前述の各形態の電気光学装置１００は各種の電子機器に利用される。図９は、前述の各形態の電気光学装置１００を利用した投射型表示装置（プロジェクタ）２００の各要素を示す図である。投射型表示装置２００は、光源装置３００と電気光学装置１００と投射光学系４００とを含む。光源装置３００から放射された照射光が電気光学装置１００で変調され、変調後の照射光が投射光学系４００を介して投射面５００に投射される。投射型表示装置２００において、電気光学装置１００は画像信号で指定される画像に応じて照射光を変調する要素（ライトバルブ）として機能する。
【００４１】
なお、本発明に係る電気光学装置が適用される電子機器としては、図７に例示した投射型表示装置２００のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００４２】
１０……第１基板、１１……カラーフィルター、１２……フィルター層、１３……遮光層、１４……配線層、１５……開口部、１６……画素電極、１８……ＴＦＴ、２０……第２基板、２１……マイクロレンズアレイ、２２……遮光層、２４……対向電極、２５……平坦部、３０……液晶素子、５０……画素、９０……液晶、１００……電気光学装置、２００……投射型表示装置、３００……光源装置、４００……投射光学系、５００……投射面
【図１】
2014153385.tif 000003
【図２】
2014153385.tif 000004
【図３】
2014153385.tif 000005
【図４】
2014153385.tif 000006
【図５】
2014153385.tif 000007
【図６】
2014153385.tif 000008
【図７】
2014153385.tif 000009
【図８】
2014153385.tif 000010
【図９】
2014153385.tif 000011